(57)【要約】バッテリの充電およびインクの充填を行うためのスタンド（１０）が、好ましくは着脱可能であるインクリザーバを含み、かつ、内部プリンタを有する移動通信装置を受け入れるためのレセプタクル（１２）を有する。レセプタクル内に配置されたインク連結部（４１）が通信装置の相補的インク入口と係合し、インクがリザーバから装置プリンタのインク貯蔵システムに流れるための導管をもたらす。
2005538861.tif 000002
【特許請求の範囲】
【請求項１】
内部プリンタを有する移動通信装置のための充填スタンドであって、
ベースと、
前記ベース内に形成され、かつ、移動通信装置を着脱可能に受けるようになっているレセプタクルと、
電力を受けて、移動通信装置に再充電電力を供給するための電力連結部と、
少なくとも１つのタイプまたは色のインクを貯蔵するインクリザーバと、
移動通信装置がレセプタクル置かれたときに再充電電力を提供するための電力伝達装置と、
少なくとも１つのインク連結部であって、移動通信装置がレセプタクルに置かれたときにインクを少なくとも１つのインクリザーバから通信装置に提供するために、通信装置の相補的なインク受容連結部と係合するようになっているインク連結部と
を含む充填スタンド。
【請求項２】
電力伝達装置が１以上の導電接触部を含み、前記導電接触部が、レセプタクル内に置かれた移動通信装置の相補的な導電接触部と係合するように構成され、それにより、通信装置のバッテリを再充電するための電気回路を確立する請求項１に記載の充填スタンド。
【請求項３】
電力伝達装置が、通信装置のバッテリの再充電のために充填スタンドと移動通信装置内の誘電電流発生装置との間に誘導結合を発生する磁界発生器を含み、磁界発生器が、通信装置がレセプタクル内に配置されたときに自動的にバッテリを再充電するように構成されている請求項１に記載の充填スタンド。
【請求項４】
電力連結部が遠隔電源から電力を受けるための外部電力連結部である請求項１〜３のいずれか一項に記載の充填スタンド。
【請求項５】
前記インクリザーバが着脱可能なインクカートリッジであり、前記インク連結部が、前記インクカートリッジ上の少なくとも１つの対応する相補的構造と係合するための少なくとも１つのカートリッジ連結部を含む請求項１〜４のいずれか一項に記載の充填スタンド。
【請求項６】
前記インクリザーバが、別々の色および／またはタイプのインクを貯蔵する複数のインクチャンバを含み、前記チャンバの各々が前記インク連結部の少なくとも１つを含む請求項１〜５のいずれか一項に記載の充填スタンド。
【請求項７】
前記カートリッジが、出口をそれぞれが含む１以上のインクチャンバを含み、前記カートリッジ連結部が、前記チャンバ出口によりそれぞれ受け入れられるようになっている１以上のカートリッジピンを含む請求項５に記載の充填スタンド。
【請求項８】
前記カートリッジ出口の各々がエラストマシールを含む請求項７に記載の充填スタンド。
【請求項９】
複数のカートリッジピンまたは前記のカートリッジピンの各々を取り囲むエラストマパッドをさらに含み、各々のまたは複数のパッドが前記カートリッジピンを露出させるために圧縮可能である請求項７に記載の充填スタンド。
【請求項１０】
前記インクカートリッジが前記レセプタクルに受け入れられるように構成されている請求項５に記載の充填スタンド。
【請求項１１】
インクコネクタをさらに含み、インクコネクタが、前記インク連結部と；前記インクカートリッジ連結部と；各カートリッジ連結部をそれぞれのインク連結部と連結するインク導管とを含み、前記インクコネクタが、前記インク連結部および前記カートリッジ連結部が前記レセプタクル内に配置されるように前記充填スタンド内に配置されている請求項５に記載の充填スタンド。
【請求項１２】
前記インク連結部が、前記通信装置の１以上の入口に受け入れられるようになっている１以上の装置ピンを含む請求項１に記載の充填スタンド。
【請求項１３】
前記装置ピン周囲にエラストマパッドをさらに含み、前記パッドが前記装置ピンを露出させるために圧縮可能である請求項１１に記載の充填スタンド。
【請求項１４】
前記インクリザーバが、内部プリンタを含む通信装置が前記レセプタクルに受け入れられたときに重力によりインクが前記インクリザーバから前記通信装置のプリンタに流れるように前記充填スタンド上に配置されている請求項１に記載の充填スタンド。
【請求項１５】
内部プリンタを有する移動通信装置のための充填スタンドであって、ベースと、前記ベース内に形成されかつ移動通信装置を受け入れるようになっているレセプタクルと、外部電力連結部と、１以上のインクを貯蔵しかつ前記レセプタクルに受け入れられるようになっている着脱可能なインクカートリッジと、前記移動通信装置上の相補的接触部と係合して前記移動電話装置のバッテリを前記外部電力連結部から充電するようになっている１以上の電力接触部と、インクコネクタであり、前記インクカートリッジ上の相補的連結部と係合するようになっている１以上のカートリッジ連結部、移動通信装置上の相補的構造物と係合するようになっている１以上の装置連結部、および、前記カートリッジ連結部と前記装置連結部とを連結する１以上のインク流導管を含む前記インクコネクタと、を備える充填スタンド。
【請求項１６】
内部プリンタを有する移動通信装置であって、請求項１〜１５のいずれか一項に記載の充填スタンドから再充電電力およびインクを受け入れるための電力再充電インタフェースおよびインク供給インタフェースを含む移動通信装置。
【請求項１７】
内部プリンタを有する移動通信装置に再充電電力およびインクを提供するための再充填装置であって、移動通信装置の相補的インク供給入力部に着脱可能に連結するためのインク供給出力部と、インク供給出力部に連結されたときに再充電電力を移動通信装置に供給するための電力再充電出力部とを含む再充填装置。
【請求項１８】
使用時に電力を供給する外部電源を電力再充電出力部に連結するための電力供給連結部をさらに含む請求項１７に記載の再充填装置。
【請求項１９】
電力再充電出力部が、移動通信装置の対応する導電性電力受容接触部と係合するための導電性電力供給接触部を含む請求項１７に記載の再充電装置。
【請求項２０】
電力再充電出力部が、移動通信装置内の対応する誘電装置と使用中に誘電結合するための誘電結合装置を含む請求項１７に記載の再充電装置。
【発明の詳細な説明】
【発明の分野】
【０００１】
本発明は、内部プリンタを有する電子装置、および、プリンタの内部インクリザーバにインクを補充するための充填組立体に関する。
【０００２】
本出願は、本出願の以下の同時係属出願を参照し、これらの同時係属出願の全ての内容を援用して本文の記載の一部とする。
【同時係属出願】
【０００３】
本発明に関連する様々な方法、システムおよび装置が、本発明の出願人または譲受人により本出願と同時に出願された以下の同時係属出願に開示されている。
AP39          AP43          AP44          AP46          AP47          AP48   
AP49          AP50          AP51          AP52          AP53          AP55   
AP58          AP60          AP61          AP62          AP63          AP64   
AP65          AP66          AP67          AP68          AP69          AP70   
AP71          AP77          AP78          AP79
これらの同時係属出願を援用して本文の記載の一部とする。各出願は、暫定的にファイル番号により識別される。この番号は、ＰＣＴ出願番号が付与された時にそのＰＣＴ出願番号に替わることになる。
[関連する特許出願および特許]
US6,227,652          US6,213,588          US6,213,589          US6,231,163
US6,247,795          US6,394,581          US6,244,691          US6,257,704
US6,416,168          US6,220,694          US6,257,705          US6,247,794
US6,234,610          US6,247,793          US6,264,306          US6,241,342
US6,247,792          US6,264,307          US6,254,220          US6,234,611
US6,302,528          US6,283,582          US6,239,821          US6,338,547
US6,247,796          US09/113,122         US6,390,603          US6,362,843
US6,293,653          US6,312,107          US6,227,653          US6,234,609
US6,238,040          US6,188,415          US6,227,654          US6,209,989
US6,247,791          US6,336,710          US6,217,153          US6,416,167
US6,243,113          US6,283,581          US6,247,790          US6,260,953
US6,267,469          US6,273,544          US6,309,048          US6,420,196
US6,443,558          US09/422,892         US6,378,989          US09/425,420
US09/422,893         US09/609,140         US6,409,323          US6,281,912
US09/575,113         US6,318,920          US6,488,422          US09/693,644
US6,457,810          US6,485,135          US09/112,763         US6,331,946
US6,246,970          US6,442,525          US09/505,951         US09/505,147
US09/505,952         US09/575,108         US09/575,109         US09/575,110
US09/607,985         US6,398,332          US6,394,573          US09/606,999 
US6,238,044          US6,425,661          US6,390,605          US6,322,195
US09/504,221         US6,480,089          US6,460,778          US6,305,788
US6,426,014          US6,364,453          US6,457,795          US09/556,219
US09/556,218         US6,315,399          US6,338,548          US09/575,190
US6,328,431          US6,328,425          US09/575,127         US6,383,833
US6,464,332          US6,390,591          US09/575,152         US6,328,417
US6,322,194          US09/575,177         US09/575,175         US6,417,757
US09/608,780         US6,428,139          US09/607,498         US09/693,079
US09/693,135         US6,428,142          US09/692,813         US09/693,319
US09/693,311         US6,439,908          US09/693,735         PCT/AU98/00550
PCT/AU00/00516       PCT/AU00/00517       PCT/AU00/00511       PCT/AU00/00754
PCT/AU00/00755       PCT/AU00/00756       PCT/AU00/00757       PCT/AU00/00095
PCT/AU00/00172       PCT/AU00/00338       PCT/AU00/00339       PCT/AU00/00340
PCT/AU00/00341       PCT/AU00/00581       PCT/AU00/00580       PCT/AU00/00582
PCT/AU00/00587       PCT/AU00/00588       PCT/AU00/00589       PCT/AU00/00583
PCT/AU00/00593       PCT/AU00/00590       PCT/AU00/00591       PCT/AU00/00592
PCT/AU00/00584       PCT/AU00/00585       PCT/AU00/00586       PCT/AU00/00749
PCT/AU00/00750       PCT/AU00/00751       PCT/AU00/00752       PCT/AU01/01332
PCT/AU01/01318       PCT/AU00/01513       PCT/AU00/01514       PCT/AU00/01515
PCT/AU00/01516       PCT/AU00/01517       PCT/AU00/01512       PCT/AU01/00502
PCT/AU02/01120       PCT/AU00/00333       PCT/AU01/00141       PCT/AU01/00139
PCT/AU01/00140       PCT/AU00/00753       PCT/AU01/01321       PCT/AU01/01322
PCT/AU01/01323       PCT/AU00/00594       PCT/AU00/00595       PCT/AU00/00596
PCT/AU00/00597       PCT/AU00/00598       PCT/AU00/00741       PCT/AU00/00742
【発明の背景】
【０００４】
これまで、プリンタはデスクトップ装置であり、したがって大型で携帯不能であった。プリンタは、幾度もの交換を必要とする大容量のインクカートリッジを有していた。交換用インクカートリッジは普通は手元に置かれているので、現用のインクカートリッジが消耗したときに、プリンタの動作をほとんど中断せずに交換されることができる。
【０００５】
近年、プリンタが携帯型通信機器、例えば移動電話に組み込まれる開発が見られる。このような適用の例を、出願人の、以上に記載した同時係属出願に見出すことができる。しかし、携帯型プリンタに関しては、インク供給部のインクを使い果たすと交換用インクカートリッジが常に手元にあるとは限らないという問題がある。この問題を克服するには、インクカートリッジはインクの消耗により交換が絶対に必要となる前に交換されるべきであり、そうでなければインク供給部のインクが使い切られ、交換用インクカートリッジが見つかるまでプリンタが使えなくなる危険が生じるであろう。
【発明の概要】
【０００６】
本発明の第１の態様に従えば、内部プリンタを有する移動通信装置のための充填スタンドであって、
ベースと、
前記ベース内に形成され、かつ、移動通信装置を着脱可能に受け入れるようになっているレセプタクルと、
電力を受け、移動通信装置に再充電電力を供給するための電力連結部と、
少なくとも１つのタイプまたは色のインクを貯蔵するインクリザーバと、
移動通信装置がレセプタクルに置かれたときに移動通信装置に再充電電力を供給するための電力伝達装置と、
少なくとも１つのインク連結部であって、移動通信装置がレセプタクルに置かれたときにインクを少なくとも１つのインクリザーバから通信装置に提供するために、通信装置の相補的なインク受容連結部と係合するようになっているインク連結部とを含む充填スタンドが提供される。
【０００７】
好ましくは、電力伝達装置は１以上の導電接触部を含み、前記導電接触部は、レセプタクル内に配置された移動通信装置の相補的な導電接触部と係合するように構成されている。これにより、通信装置のバッテリを再充電するための電気回路を確立することができる。
【０００８】
あるいは、電力伝達装置は、通信装置のバッテリの再充電のために、スタンドと移動通信装置内の誘電電流発生装置との間に誘導結合を発生する磁界発生器を含み、磁界発生器は、通信装置がレセプタクル内に配置されたときに自動的にバッテリを再充電するように構成されていてもよい。
【０００９】
好ましくは、電力連結部は遠隔電源から電力を受けるための外部電力連結部である。
【００１０】
前記インクリザーバが着脱可能なインクカートリッジであることが特に好ましい。この場合、インク連結部は、前記インクカートリッジ上の少なくとも１つの対応する相補的構造と係合するための少なくとも１つのカートリッジ連結部を含む。
【００１１】
好ましくは、インクリザーバは、別々の色および／またはタイプのインクを貯蔵する複数のインクチャンバを含み、前記チャンバの各々が前記インク連結部の少なくとも１つを含む。より好ましくは、カートリッジは、出口をそれぞれ含む１以上のインクチャンバを含み、カートリッジ連結部が、前記チャンバ出口によりそれぞれ受け入れられるようになっている１以上のカートリッジピンを含む。カートリッジ出口の各々がエラストマシールを含むことが好ましい。
【００１２】
好ましくは、エラストマパッドが複数のカートリッジピンまたは前記カートリッジピンの各々を取り囲む。単数または複数のパッドは、カートリッジピンを露出させるために圧縮可能である。
【００１３】
好ましい形態において、インクカートリッジは前記レセプタクルに受け入れられるように構成されている。
【００１４】
一実施形態において、充填スタンドはさらにインクコネクタを含み、インクコネクタが、インク連結部と；インクカートリッジ連結部と；各カートリッジ連結部をそれぞれのインク連結部と連結するインク導管とを含む。この場合、インクコネクタは、インク連結部およびカートリッジ連結部がレセプタクル内に配置されるように充填スタンド内に配置されることができる。
【００１５】
好ましくは、インク連結部は、前記通信装置の１以上の入口に受け入れられるべく適合された１以上の装置ピンを含む。より好ましくは、スタンドは装置ピン周囲にエラストマパッドを含み、パッドが前記装置ピンを露出させるために圧縮可能である。
【００１６】
好ましい実施形態において、内部プリンタを含む通信装置がレセプタクルに受け入れられたときに重力によりインクが前記インクリザーバから通信装置のプリンタに流れるように、インクリザーバが前記充填スタンド上に配置される。
【００１７】
第２の態様において、本発明は、内部プリンタを有する移動通信装置のための充填スタンドであって、ベースと、前記ベース内に形成されかつ移動通信装置を受け入れるようになっているレセプタクルと、外部電力連結部と、１以上のインクを貯蔵しかつ前記レセプタクルに受け入れられるようになっている着脱可能なインクカートリッジと、前記移動通信装置上の相補的接触部と係合して前記移動電話装置のバッテリを前記外部電力連結部から充電するようになっている１以上の電力接触部と、インクコネクタであり、前記インクカートリッジ上の相補的連結部と係合するようになっている１以上のカートリッジ連結部、移動通信装置上の相補的構造物と係合するようになっている１以上の装置連結部、および、前記カートリッジ連結部と前記装置連結部とを連結する１以上のインク流導管を含む前記インクコネクタとを含む充填スタンドを提供する。
【００１８】
第３の態様において、本発明は、内部プリンタを有する移動通信装置であって、請求項１〜１５のいずれか一項に従う充填スタンドから再充電電力およびインクを受け入れるための電力再充電インタフェースおよびインク供給インタフェースを含む移動通信装置を提供する。
【００１９】
第４の態様において、本発明は、内部プリンタを有する移動通信装置に再充電電力およびインクを提供するための再充填装置であって、移動通信装置の相補的インク供給入力部と着脱可能に連結するためのインク供給出力部と、インク供給出力部に連結されたときに再充電電力を移動通信装置に提供するための電力再充電出力部とを含む再充填装置を提供する。
【００２０】
好ましくは、再充填装置はさらに、使用時に電力を供給する外部電源を電力再充電出力部に連結するための電力供給連結部を含む。
【００２１】
より好ましくは、電力再充電出力部が、移動通信装置の対応する導電性電力受容接触部と係合するための導電性電力供給接触部を含む。
【００２２】
あるいは、電力再充電出力部が、使用中に、移動通信装置内の対応する誘電装置と誘電結合するための誘電結合装置を含む。
【００２３】
以下、本発明の好ましい実施形態を、単なる例として、添付図面を参照しつつ記載する。
【好適な実施形態の説明】
【００２４】
本発明による充填スタンドが図１に符号１０で総括的に示されている。スタンド１０は、図２に示されているような移動通信装置２０、例えば携帯電話を受け入れる。スタンド１０は、携帯電話を受けるレセプタクル１２を有するベース１１を含む。１組のインク接触部１３およびパワー接触部１４がベースレセプタクル１２内に配置されている。ベース１１は、また、インクカートリッジ５０も受け入れる。
【００２５】
ここで図３を参照する。図３は、充填スタンド１０の内部の特徴を示す分解図である。充填スタンド１０はベース成形体３１およびベースプレート３２を含む。電源コード３３がベース成形物３１の開口を通り、ベース成形体３１内のプリント回路板（ＰＣＢ）３４に接続されている。電源コード３３の反対端は幹線電力と接続するための標準的なプラグを含み、幹線電力は通常、交流電流（ＡＣ）である。この場合、電力は、移動通信装置のバッテリに直流電流（ＤＣ）として供給されるべきであれば、整流する必要がある。あるいは充填スタンドが別の電源と、例えば、通常は直流電流（ＤＣ）である車のシガレットライター連結部を介して接続されるように構成される。いずれの場合においても、電力は、一般的に、移動通信装置のバッテリに適した電圧および電流を供給するために降圧される必要がある。
【００２６】
ＰＣＢ３４は、パワーインプラグ３５、スピーカ３７に連結されたスピーカプラグ３６、および充電接触部３８を含む部品を支持する。パワーインプラグ３５、スピーカプラグ３６および充電接触部３８はベース成形体３１を通ってレセプタクル１２内に突出している。
【００２７】
ベース成形体３１は、また、インク連結部３９を収容しており、インク連結部３９は、インク連結ベース４２内の導管を介して連結された中空のカートリッジ連結ピン４０および装置連結ピン４１を含む。図３に、３色のインクおよび黒色インクのためのインク流路をもたらす４つのピンが示されている。カートリッジピンおよび装置ピンがベース成形物３１を通ってレセプタクル１２内に突出している。エラストマパッド４３がピン４０，４１の周囲を保護するために形成されているが、インクカートリッジまたは電話器をレセプタクル内に載置している間は図３に示された形状に圧縮され、これによりピンを使用のために露出させる。装置ピンには、レセプタクルが装置を受け入れていないときにインクの流れを防止するキャップまたはシールを嵌め得るが、これらのシールは、装置を充填スタンドに装填する前、または装填している間には取り外される。
【００２８】
図４は、インクカートリッジおよび電話を取り外したときのエラストマパッド４３の弾性を示す。パッドは非圧縮状態に戻り、それにより、ピンが使用されていないときのインクカートリッジピンおよび装置ピンを保護する。ピンを保護することに加え、エラストマパッド４３は、また、インクコネクタ４０内を通っているインク流路をシールするようにも働き、これにより、コネクタ４０内に捕えられたインクが乾き切ることと、詰りのおそれを防止する。図４に見られるように、パワーインプラグ３５、スピーカプラグ３６および充電接触部３８は露出したままである。
【００２９】
充填スタンドは、図５に示されているタイプの着脱可能なインクカートリッジ５０を受け入れる。インクカートリッジ５０は、充填スタンドのレセプタクル１２に嵌り込む寸法に作られたインクリザーバを含む。インクカートリッジの内部は４つの異なるタイプのインクのための４つの別々のチャンバに分割されている。カートリッジ５０の端部に形成された４つの開口５１が４つのチャンバの各々のために出口をもたらし、これらの開口はカートリッジ５０に、カートリッジが充填スタンドのレセプタクル内に装填されるときに充填スタンドのカートリッジピン４１を受け入れるように配置されている。シール５３、例えばエラストマシールが各インクチャンバ内の出口（開口）５１の周囲に配置され、カートリッジが充填スタンドから取り外されるときにそれぞれのチャンバをシールする。
【００３０】
カートリッジ５０にＱＡチップおよび接触部５２を設けてもよく、接触部５２は充填スタンド上の類似の接触部４５（図４）と連通して、その充填スタンドに適合したカートリッジ５０のみが充填スタンドと共に用いられることを保証する。
【００３１】
充填スタンド１０は、内部プリンタおよびバッテリを備えた携帯電話２０または類似の装置を受ける。図６に示されているように、電話２０は、プリンタのインク供給システムに通じる一連のインク入口６０、パワーソケット６１、ハンドフリージャック６２、および、電話のバッテリまたは類似の電荷蓄積装置に通じる充電接触部６３を含む。図２に示されているように電話２０が充填スタンドレセプタクル１２に装填されているとき、インク入口、パワーソケット、ハンドフリージャックおよび充電接触部は、それぞれ、充填スタンドの装置ピン、パワーイン連結部、スピーカプラグおよび充電接触部と位置合わせされ、かつ係合している。次いで電力を電話に供給して電話の操作を可能にし、かつ、電話のバッテリを公知の方法で再充電する。
【００３２】
図７は、携帯電話が装填された図２の充填スタンドを逆側から見た断面図であり、電話機のプリンタからカートリッジ５０への接続を示す。図７に示されているように、インクカートリッジ５０はレセプタクル内に、カートリッジピン４０がシール５３を貫通してカートリッジのインクチャンバの１つに突入するように配置されている。同様に、電話のインク入口が充填スタンドの装置ピンと係合している。こうしてインクコネクタ３９は、インクカートリッジ５０からプリンタのインクリザーバへの導管をもたらす。カートリッジのインクチャンバとプリンタのリザーバの間の圧力、重力または浸透作用によりインクがプリンタリザーバに流れる。
【００３３】
本発明の実施形態を、特に携帯電話を参考に記載してきたが、当業者には、本発明が他のタイプの移動通信装置、例えばワイヤレス・インターネット・アクセスデバイス（ＷＩＡＤ）、特にワイヤレス・アプリケーション・プロトコル（ＷＡＰ）ターミナル、ポケットベルなどにも同様に好適であることが明らかであろう。
【００３４】
本発明の充填スタンドは、プリンタを備えた携帯電話のバッテリの再充電およびインク供給源の再充填を同時に行うことを可能にする。さらに、本文中に記載したような充填スタンドを用いれば、プリンタのインク供給源のインクが使い果たされることは、バッテリの電力がプリンタの作動に不十分となる事態が生じるまでは起こり得ないであろう。
【００３５】
本発明は、また、充填スタンドのインクカートリッジが３色のインクおよび黒色インクのための４つのチャンバを有する４色プリンタに関して記載してきた。インクカートリッジの構造およびインクコネクタのピンの数は、移動通信装置に用いられるプリンタのタイプに依存する。例えば、カートリッジは、黒色インクのみを貯蔵し得る。その代わりに、または、それに加えて、インクカートリッジは、赤外線インクまたは他のタイプのインクをプリンタに供給するためのチャンバおよびインク連結部を含み得る。
【００３６】
本発明の好ましい実施形態はスタンドの形態をとっているが、別の実施形態（図示せず）が、電話機または通信装置における対応するインクソケットおよびパワーソケットと連結されるプラグであることが理解されよう。この実施形態においてもインクリザーバおよび電源は設けられるが、受話器を着座させるためのスタンドまたは受台はない。むしろ、対応するソケットにプラグが差し込まれてしまえば、電話は適切な場所、例えばベンチトップまたはデスクに置かれればよい。この実施形態が有し得る利点は、インクリザーバ（大容量であれば比較的大きいであろう）を、携帯電話充電ポイントから離れた位置、例えば邪魔にならない床の上または棚の上に置くことができることである。これにより、幾つかの場合においてリザーバへの衝突を回避でき、または、少なくとも仕事場での乱雑さが減る。この場合、リザーバは、交流幹線電力を携帯電話への供給用に整流するための変圧器と同じハウジング、または変圧器に隣接したハウジング内に取り付けられることもできる。
【００３７】
本発明の特定の実施形態を記載してきたが、当業者には、本発明が、本発明の本質的な特性から逸脱せずに他の特定の形態で具体化され得ることが明らかであろう。したがって、本発明の実施形態および具体例はあらゆる点において例示的であり、限定的でないと考えられるべきであり、本発明の範囲は、上記の説明によってではなく、添付の特許請求の範囲により示され、したがって、特許請求の範囲の均等物の意味および範囲内に入る全ての変更が本発明の範囲に包含されるものとする。また、知られた従来技術を本文中で参照しているが、この参照が、これらの従来技術が本発明が関わる当業者により一般に知られていると自認するものではないことが、それとは逆の示唆がない限り理解されよう。
【図面の簡単な説明】
【００３８】
【図１】本発明に従う充填スタンドの斜視図である。
【図２】携帯電話を伴う充填スタンドの斜視図である。
【図３】充填スタンドの分解図である。
【図４】図３の充填スタンドの組立図である。
【図５】着脱可能なインクカートリッジの斜視図である。
【図６】本発明の充填スタンドと共に用いるのに適した携帯電話の斜視図である。
【図７】本発明に従う充填スタンドおよび携帯電話の断面図である。
【図１】
2005538861.tif 000003
【図２】
2005538861.tif 000004
【図３】
2005538861.tif 000005
【図４】
2005538861.tif 000006
【図５】
2005538861.tif 000007
【図１】
2005538861.tif 000008
【図７】
2005538861.tif 000009
【国際調査報告】
2005538861.tif 000010
2005538861.tif 000011